(57)【要約】【課題】鼻用軟膏を指や塗布具につけて鼻腔内に挿入し、鼻腔内に鼻用軟膏を塗るといったことをなくして、極めて容易かつ効果的に鼻腔内に鼻用軟膏を塗ることのできる鼻腔内塗布器を提供する。【解決手段】内部に鼻腔用軟膏を収容し、上部に開口部５を形成した容器１と、この容器１の上部の開口部５に装着し、鼻腔内に挿入する塗布部２とからなり、この塗布部２は先端を滑らかな曲面状に形成し、かつ先端に吐出口７を形成すると共に、容器１を押圧することにより容器１上部の開口部５より鼻腔用軟膏が出て、塗布部２の内部を経て塗布部２先端の側面に形成した吐出口７より鼻腔用軟膏を吐出するようにした鼻腔内塗布器である。【選択図】      図１
2004201766.tif 000002
【特許請求の範囲】
【請求項１】
内部に鼻腔用軟膏を収容し、上部に開口部５を形成した容器１と、この容器１の上部の開口部５に装着し、鼻腔内に挿入する塗布部２とからなり、この塗布部２は先端を滑らかな曲面状に形成し、かつ先端に吐出口７を形成すると共に、容器１を押圧することにより容器１上部の開口部５より鼻腔用軟膏が出て、塗布部２の内部を経て塗布部２先端に形成した吐出口７より鼻腔用軟膏を吐出するようにしたことを特徴とする鼻腔内塗布器。
【請求項２】
塗布部２における吐出口７を、塗布部２の先端の側面に形成したことを特徴とする請求項１記載の鼻腔内塗布器。
【請求項３】
塗布部２の先端に形成する吐出口７を二つ以上の複数形成したことを特徴とする請求項１又は請求項２記載の鼻腔内塗布器。
【請求項４】
塗布部２の先端に形成する吐出口７の周囲を、平らな扁平部又はさじ状の凹部に形成したことを特徴とする請求項１乃至請求項３記載の鼻腔内塗布器。
【請求項５】
塗布部２が所定長さ以上、鼻腔内に挿入するのを防止するストッパ９を備えたことを特徴とする請求項１乃至請求項４記載の鼻腔内塗布器。
【請求項６】
塗布部２の先端に形成する吐出口７を開閉機構付きにしたことを請求項１乃至請求項５記載の鼻腔内塗布器。
【請求項７】
塗布部２における容器１の上部の開口部５への装着を着脱自在にしたことを特徴とする請求項１乃至請求項６記載の鼻腔内塗布器。
【発明の詳細な説明】
【０００１】
【発明の属する技術分野】
本発明は、内部に鼻腔用軟膏を収容する容器と、この容器の上部に装着し鼻腔内に挿入して鼻腔用軟膏を吐出する塗布部とからなる鼻腔内塗布器に関する。
【０００２】
【従来の技術】
従来、花粉等による鼻炎症状に対して、鼻腔内に液状の薬剤を滴下あるいは噴射することで、鼻炎症状を治療又は緩和させる方法が知られていた。これは、抗ヒスタミン薬等の点鼻薬を鼻腔内に滴下あるいは噴射する、又は鼻洗浄液を鼻腔内に噴射するといったように、液状の薬剤を用いて鼻炎症状を治療又は緩和させる方法である。これら液状の薬剤を用いて鼻炎症状を治療又は緩和させる方法において用いる噴射具や投薬器としては、特開２００２−３０１１５１公報に噴射具が、また、特開平９−７０４３３号公報に鼻腔用投薬器がそれぞれ記載されていた。
【０００３】
【特許文献１】
特開２００２−３０１１５１公報
【特許文献２】
特開平９−７０４３３号公報
【０００４】
近年、鼻炎症状を治療又は緩和させる方法において、前述した鼻腔内に液状の薬剤を滴下あるいは噴射する方法とは別に、鼻用軟膏を用いて、鼻腔内に鼻用軟膏を塗る方法が極めて効果的な結果をもたらすということが分かってきた。この方法としては、例えば、特開２００１−３４２１３１公報に鼻用軟膏を指又は綿棒等の塗布具を用いて鼻腔内に鼻用軟膏を塗る方法が記載されていた。
【０００５】
【特許文献３】
特開２００１−３４２１３１公報
【０００６】
【発明が解決しようとする課題】
従来の指又は綿棒等の塗布具を用いて鼻腔内に鼻用軟膏を塗る方法にあっては、鼻用軟膏を適量指や塗布具につけて鼻腔内に挿入し、鼻腔内に鼻用軟膏を塗るようになるが、効能効果といった面ではこれでも良いが、第一に、指を使う場合、後で指を洗わなくてはならず手間がかかると共に、羞恥心が作用して、また格好が悪いといった面で人前ではなかなか行うことができないといった問題があった。一方、綿棒等の塗布具を使う場合、塗布具を常に用意しておく必要があり、この塗布具は使い捨てであり手間がかかると共に、鼻用軟膏を携帯する際でも常に一緒に塗布具を携帯するため、面倒臭く、携帯には不向きといった面があった。
【０００７】
本発明は、上記の問題に鑑みなされたものであり、鼻用軟膏を指や塗布具につけて鼻腔内に挿入し、鼻腔内に鼻用軟膏を塗るといったことをなくして、極めて容易かつ効果的に鼻腔内に鼻用軟膏を塗ることのできる鼻腔内塗布器を提供することを、その課題とするものである。
【０００８】
【課題を解決するための手段】
第１の発明は、内部に鼻腔用軟膏を収容し、上部に開口部を形成した容器と、この容器の上部の開口部に装着し、鼻腔内に挿入する塗布部とからなり、この塗布部は先端を滑らかな曲面状に形成し、かつ先端に吐出口を形成すると共に、容器を押圧することにより容器上部の開口部より鼻腔用軟膏が出て、塗布部の内部を経て塗布部先端に形成した吐出口より鼻腔用軟膏を吐出するようにした鼻腔内塗布器である。
【０００９】
第２の発明は、第１の発明において、塗布部における吐出口を、塗布部の先端の側面に形成した鼻腔内塗布器である。
【００１０】
第３の発明は、第１の発明又は第２の発明において、塗布部の先端に形成する吐出口を二つ以上の複数形成した鼻腔内塗布器である。
【００１１】
第４の発明は、第１の発明乃至第３の発明において、塗布部の先端に形成する吐出口の周囲を平らな扁平部又はさじ状の凹部に形成した鼻腔内塗布器である。
【００１２】
第５の発明は、第１の発明乃至第４の発明において、塗布部が所定長さ以上、鼻腔内に挿入するのを防止するストッパを備えた鼻腔内塗布器である。
【００１３】
第６の発明は、第１の発明乃至第５の発明において、塗布部の先端に形成する吐出口を開閉機構付きにした鼻腔内塗布器である。
【００１４】
第７の発明は、第１の発明乃至第６の発明において、塗布部における容器の上部の開口部への装着を着脱自在にした鼻腔内塗布器である。
【００１５】
【作    用】
第１の発明によれば、従来のような鼻腔用軟膏を指や塗布具につけて鼻腔内に挿入し、鼻腔内に鼻腔用軟膏を塗るといったことをなくしつつ、単に、鼻腔内に塗布部を挿入し、挿入後、容器を押圧するだけで、鼻腔内に鼻腔用軟膏を塗布することができ、極めて容易かつ効果的に鼻腔内に鼻用軟膏を塗ることのできる。しかも、鼻腔内に塗布部を挿入する際、塗布部の先端を丸みを帯びた滑らかな曲面状に形成したことで、鼻腔内を傷つける心配を大幅に低減して、安心して鼻腔用軟膏を塗布することができる。
【００１６】
第２の発明によれば、吐出口を塗布部の先端の側面に形成したことで、鼻腔用軟膏を塗布する際、確実かつ最適に鼻腔内の内壁に鼻腔用軟膏を塗布することができる。
【００１７】
第３の発明によれば、吐出口を二つ以上の複数形成することで、鼻腔用軟膏を塗布する際、鼻腔内の内壁全体にわたって確実かつ最適に鼻腔用軟膏を塗布することができる。
【００１８】
第４の発明によれば、吐出口の周囲を平らな扁平部又はさじ状の凹部に形成したことで、吐出口の周囲に形成した扁平部又は凹部に吐出した鼻腔用軟膏を溜めることができ、鼻腔用軟膏の吐出量を確認しながら、最適な量の鼻腔用軟膏を塗布することができる。
【００１９】
第５の発明によれば、ストッパを備えたことで、鼻腔内に塗布部が所定長さ以上挿入するのを防止することができ、鼻腔内を傷つけるといった問題をなくして、安全で快適な鼻腔用軟膏の塗布をすることができる。
【００２０】
第６の発明によれば、塗布部の先端に形成する吐出口を開閉機構付きにしたことで、キャップ等を不要とすることができ、部品点数の削減、簡素化を図ることができる。
【００２１】
第７の発明によれば、塗布部における容器の上部の開口部への装着を着脱自在にしたことで、塗布部を多数用意して、塗布部が汚れたら、これを取り替えることができ、長期間の使用において、極めて衛生的に使用することができる。
【００２２】
【発明の実施の形態】
本発明による鼻腔内塗布器の一実施形態について説明する。
鼻腔内塗布器は、図１及び図２に示すように、内部に鼻腔用軟膏を収容する容器１と、この容器１の上部に装着して鼻腔内に挿入する塗布部２と、さらに、容器１の上部に取り付けて塗布部２を覆うキャップ３とから構成する。
【００２３】
まず、容器１は、アルミニウム製でチューブ形状となり、上部に円筒状のネック部４を形成する。そして、このネック部４の中央に開口部５を形成すると共に、このネック部４の側面周囲にキャップ３を取り付けるためのネジ部６を形成する。この容器１にあっては、容器１を押圧することにより容器１のネック部４の開口部５より内部に収容した鼻腔用軟膏が出るようにする。この鼻腔用軟膏としては、鼻腔内に塗布することが目的であるので、軟膏やクリーム、ジェル等であり、鼻炎症状を治療又は緩和させる良好な効能効果を有するものならば、成分組成は何ら制限されるものではない。
【００２４】
なお、この容器１は、前述のものに限定されるものではなく、例えば、材質としてはアルミニウム以外に、合成樹脂やラミネート等の押圧することで、内部に収容した鼻腔用軟膏が上部の開口部５より出るものであれば良い。また、形状もチューブ形状に限定させるものではなく、大きさも特に限定されるものではない。例えば、本実施形態のような何回も使用するように大きな容器１にするのではなく、１回毎に使い切る使い捨てタイプとするように極小さな大きさの容器１にしても良い。
【００２５】
そして、塗布部２は、合成樹脂製、具体的にはポリエチレン製で、容器１の上部のネック部４中央に形成された開口部５に装着した細長円筒状の棒状となり、先端側を閉じたものである。そして、この塗布部２は先端を丸みを帯びた滑らかな曲面状、具体的には半球状に形成する。また、この塗布部２の太さとしては、鼻腔内に挿入可能となる太さであり、実際には内径が１〜５ｍｍ程度、外径が３〜８ｍｍ程度のものが好ましい。なお、柔らかい材料のものであれば、さらに太くても良い。そして、この塗布部２の先端の側面に吐出口７を１つ形成する。この吐出口７は円形状でも良いが、塗布部２の長手方向に伸びた楕円形状、さらには割れ目状でも良い。この塗布部２にあっては、容器１を押圧することにより容器１より出てきた鼻腔用軟膏が塗布部２の内部を経て先端の側面に形成した吐出口７より吐出するようにしている。
【００２６】
なお、この塗布部２は、前述のものに限定されるものではなく、例えば、材質としては合成樹脂以外に、金属やゴム、シリコン、セラミック等の形状を保つことのできるものならば何でも良い。ただし、少ししなるといった弾性力を有するものならば、鼻腔内に良好かつ快適に挿入することができるので、好ましい。
【００２７】
また、この塗布部２と容器１とにあっては、一体的に成形するようにしても良いし、また、前述のようにそれぞれを別々に成形して熔着等の方法で接合して装着するようにしても良い。
【００２８】
なお、塗布部２と容器１とをそれぞれを別々に成形したものにおいて、前述のように熔着等の方法で接合して装着するのではなく、互いに嵌合部を形成して、塗布部２における容器１の開口部５への装着を着脱自在にしても良い。
【００２９】
このように、塗布部２を着脱自在にすることにより、塗布部２を多数用意することで、塗布部２が汚れたら、これを取り替えることができ、長期間の使用において、極めて衛生的に使用することができる。
【００３０】
そして、キャップ３は、合成樹脂製、具体的にはポリエチレン製で、縦長の多角形状とする。内側には容器１の上部のネック部４側面に形成したネジ部６に螺合するネジ部８を形成し、これにより、容器１の上部にキャップ３を取り付けて塗布部２を覆うようにしている。
【００３１】
なお、このキャップ３も、前述のものに限定されるものではなく、例えば、材質としては合成樹脂以外に、金属やゴム、シリコン、セラミック等で良い。また、形状や大きさも特に限定されるものではない。
【００３２】
次に、このような構成となる鼻腔内塗布器の実際の使用例について説明すると、まず、使用者は上部のキャップ３を容器１より取り外す。そして、塗布部２を使用者の鼻腔内に挿入し、挿入後、容器１を押圧する。これにより、容器１上部の開口部５より鼻腔用軟膏が出て、塗布部２の内部を経て塗布部２先端又は先端の側面に形成した吐出口７より鼻腔用軟膏が吐出し、鼻腔内に鼻腔用軟膏が塗布され、鼻炎症状を治療又は緩和させることができるようになる。使用後は、再び、キャップ３を容器１の上部に取り付ければ良い。
【００３３】
このように構成したことで、従来のような鼻腔用軟膏を指や塗布具につけて鼻腔内に挿入し、鼻腔内に鼻腔用軟膏を塗るといったことをなくしつつ、単に、鼻腔内に塗布部２を挿入し、挿入後、容器１を押圧するだけで、鼻腔内に鼻腔用軟膏を塗布することができ、極めて容易かつ効果的に鼻腔内に鼻用軟膏を塗ることのできる。
【００３４】
しかも、塗布部２において、その先端を丸みを帯びた滑らかな曲面状に形成したことにより、鼻腔内に塗布部２を挿入する際、鼻腔内を傷つける心配を大幅に低減して、安心して鼻腔用軟膏を塗布することができる。
【００３５】
また、塗布部２において、吐出口７を先端の側面に形成したことにより、鼻腔用軟膏を塗布する際、確実かつ最適に鼻腔内の内壁に鼻腔用軟膏を塗布することができる。
【００３６】
次に、塗布部２における変形例について説明する。例えば、図３に示すように、塗布部２を若干膨らませた楕円形状に形成する。こうすることにより、先端をさらに丸みを帯びた滑らかな曲面状に形成することができ、鼻腔内への傷つけをさらに防止することができる。
【００３７】
また、図４に示すように、塗布部２を若干膨らませた楕円形状に形成したものにおいて、吐出口７を二つ以上の複数、例えば、四つ形成する。こうすることにより、鼻腔用軟膏を塗布する際、鼻腔内の内壁全体にわたって確実かつ最適に鼻腔用軟膏を塗布することができる。
【００３８】
さらに、図５に示すように、塗布部２を若干膨らませた楕円形状に形成したものにおいて、吐出口７を割れ目状に形成する。こうすることにより、鼻腔用軟膏を塗布する際、鼻腔内の内壁に鼻腔用軟膏を塗布する範囲を広くすることができ、さらに最適に鼻腔用軟膏を塗布することができる。
【００３９】
なお、図６に示すように、塗布部２を大きな半楕円形状に形成し、かつ吐出口７を二つ以上の複数形成するようにしても良い。
【００４０】
また、前述の実施形態において、塗布部２における吐出口７を塗布部２先端の側面に形成していたが、この塗布部２先端の側面ではなく、図７に示すように、丸みを帯びた滑らかな曲面状に形成した塗布部２先端の先側に吐出口７を１つ形成するようにしても良い。この場合は、鼻腔内に鼻腔用軟膏を塗布する際、鼻腔用軟膏を鼻腔内の奥側等に確実に塗布することができるようにするためである。
【００４１】
なお、塗布部２の先端の側面に形成する吐出口７にあっては、その周囲を平らな扁平部又はさじ状の凹部に形成するようにしても良い。これにより、吐出口７の周囲に形成した扁平部又は凹部に吐出口７より吐出した鼻腔用軟膏を溜めることができ、鼻腔用軟膏の吐出量を確認しながら、最適な量の鼻腔用軟膏を塗布することができる。
【００４２】
次に、本発明による鼻腔内塗布器の別の実施形態について説明する。
塗布部２が所定長さ以上、鼻腔内に挿入するのを防止する為のストッパ９を備えるようにする。これは、図８に示すように、塗布部２に円形板状のストッパ９を固着し、このストッパ９は、合成樹脂製、具体的にはポリエチレン製であるが、これに限定されるものではなく、例えば、合成樹脂以外に、金属やゴム、シリコン、セラミック等で良い。また、形状についても、円形板状に限定されるものではなく、三角や四角の平板状、格子状や柵状、棒状等、特に限定されるものではない。また、ストッパ９の位置としては、塗布部２の先端から５ｍｍから２０ｍｍぐらいが良い。ただし、鼻前庭にのみ塗布する場合は塗布部２の先端から７ｍｍから１５ｍｍぐらいが最適である。
【００４３】
このように塗布部２にストッパ９を備えることにより、鼻腔内に塗布部２が所定長さ以上挿入するのを防止することができ、鼻腔内を傷つけるといった問題をなくして、安全で快適な鼻腔用軟膏の塗布をすることができる。
【００４４】
なお、このストッパ９にあっては、塗布部２に対してネジ式あるいはスライド式に接合することにより、ストッパ９の位置を変更、すなわち位置調整を可能にして、例えば大人が使用する場合、子供が使用する場合等、それぞれの状況に応じて常に最適な位置にストッパ９を配置することができるようにしても良い。
【００４５】
また、このようになるストッパ９にあっては、材質を弾性力のあるゴム製とし、容易に折り曲げ自在なものにして、キャップ３を装着する際、キャップ３内に容易に折り畳みできるようにしても良い。
【００４６】
また、このストッパ９を塗布部２にではなく、図９に示すように、容器１上部のネック部４の上部に備えるようにしても良く、この場合、キャップ３は無くすようにする。このキャップ３を無くす代わりに、図１０に示すように、塗布部２を内層体１０と外層体１１の二層構造とし、内層体１０と外層体１１それぞれに吐出口７を形成して、外層体１１の回転により内層体１０と外層体１１の吐出口７が一致したとき、吐出口７として開くようになる、すなわち吐出口７を開閉機構付きにする。これにより、吐出口７の開閉を行うことで、キャップ３の代わりにすることができる。
【００４７】
このように吐出口７において開閉機構付きとしたことで、前述した実施形態において用いていたキャップ３を不要とすることができ、部品点数の削減、簡素化を図ることができる。
【００４８】
【発明の効果】
本発明によれば、従来のような鼻腔用軟膏を指や塗布具につけて鼻腔内に挿入し、鼻腔内に鼻腔用軟膏を塗るといったことをなくしつつ、単に、鼻腔内に塗布部を挿入し、挿入後、容器を押圧するだけで、鼻腔内に鼻腔用軟膏を塗布することができ、極めて容易かつ効果的に鼻腔内に鼻用軟膏を塗ることのできる。しかも、鼻腔内に塗布部を挿入する際、塗布部の先端を丸みを帯びた滑らかな曲面状に形成したことで、鼻腔内を傷つける心配を大幅に低減して、安心して鼻腔用軟膏を塗布することができる。
【００４９】
また、吐出口を塗布部の先端の側面に形成したことで、鼻腔用軟膏を塗布する際、確実かつ最適に鼻腔内の内壁に鼻腔用軟膏を塗布することができる。
【００５０】
さらに、吐出口を二つ以上の複数形成することで、鼻腔用軟膏を塗布する際、鼻腔内の内壁全体にわたって確実かつ最適に鼻腔用軟膏を塗布することができる。
【００５１】
また、吐出口の周囲を平らな扁平部又はさじ状の凹部に形成したことで、吐出口の周囲に形成した扁平部又は凹部に吐出した鼻腔用軟膏を溜めることができ、鼻腔用軟膏の吐出量を確認しながら、最適な量の鼻腔用軟膏を塗布することができる。
【００５２】
また、ストッパを備えたことで、鼻腔内に塗布部が所定長さ以上挿入するのを防止することができ、鼻腔内を傷つけるといった問題をなくして、安全で快適な鼻腔用軟膏の塗布をすることができる。
【００５３】
しかも、塗布部の先端に形成する吐出口を開閉機構付きにしたことで、キャップ等を不要とすることができ、部品点数の削減、簡素化を図ることができる。
【００５４】
また、塗布部における容器の上部の開口部への装着を着脱自在にしたことで、塗布部を多数用意して、塗布部が汚れたら、これを取り替えることができ、長期間の使用において、極めて衛生的に使用することができる。
【図面の簡単な説明】
【図１】本発明の一実施形態の正面説明図である。
【図２】本発明の一実施形態の上面説明図である。
【図３】本発明における塗布部の変形例の説明図である。
【図４】本発明における塗布部の変形例の説明図である。
【図５】本発明における塗布部の変形例の説明図である。
【図６】本発明における塗布部の変形例の説明図である。
【図７】本発明における塗布部の他の例の説明図である。
【図８】本発明の別の実施形態の説明図である。
【図９】本発明の別の実施形態の説明図である。
【図１０】図９の一部を断面した説明図である。
【符号の説明】
１…容器、２…塗布部、３…キャップ、４…ネック部、５…開口部、６…ネジ部、７…吐出口、８…ネジ部、９…ストッパ、１０…内層体、１１…外層体。
【図１】
2004201766.tif 000003
【図２】
2004201766.tif 000004
【図３】
2004201766.tif 000005
【図４】
2004201766.tif 000006
【図５】
2004201766.tif 000007
【図６】
2004201766.tif 000008
【図７】
2004201766.tif 000009
【図８】
2004201766.tif 000010
【図９】
2004201766.tif 000011
【図１０】
2004201766.tif 000012